(57)【特許請求の範囲】
【請求項１】
電動モータを駆動源として内装する工具本体部と、
前記電動モータの前方に配置され、前記電動モータにより駆動される出力軸と、
前記工具本体部から下方に延び、使用者が把持するグリップ部と、
前記グリップ部の下方に配置される拡径部と、
前記電動モータを制御するコントローラと、
前記拡径部に設けられた操作パネルと、を有し、
前記操作パネルに、前記コントローラを介して前記電動モータの第１の動作モードを切り換えできる第１のモード切替スイッチと、前記コントローラを介して前記第１の動作モードとは異なる前記電動モータの第２の動作モードを切り換えできる第２のモード切替スイッチと、前記第１のモード切替スイッチと前記第２のモード切替スイッチとの間に複数の発光部を有する１つの発光部列を設け、
前記複数の発光部は、前記第１の動作モードに応じる前記第１のモード切替スイッチの操作に応じて点灯または消灯し、かつ前記第２の動作モードに応じる前記第２のモード切替スイッチの操作に応じて点灯または消灯し、前記第１の動作モードのいずれかの状態または前記第２の動作モードのいずれかの状態であることを表示する電動工具。
【請求項２】
前記第１のモード切替スイッチと前記発光部列の間には、前記第１の動作モードに関する文字表示があり、
前記第２のモード切替スイッチと前記発光部列の間には、前記第２の動作モードに関する文字表示がある請求項１記載の電動工具。
【請求項３】
前記第１の動作モードであることを示す他の発光部を有する請求項２記載の電動工具。
【請求項４】
前記第１のモード切替スイッチと前記第１の動作モードに関する文字表示は、第１の枠により囲まれており、
前記第２のモード切替スイッチと前記第２の動作モードに関する文字表示は、第２の枠により囲まれている請求項２又は３記載の電動工具。
【発明の詳細な説明】
【技術分野】
【０００１】
この発明は、電動モータを駆動源として内装した電動工具に関する。
【背景技術】
【０００２】
例えばねじ締め機等の電動工具については、電動モータの回転数や出力等を適切にコントロールしていわゆるカムアウト等の不具合を生ずることなくスムーズにねじ締めがなされるようにするための工夫がなされている。このため、この種の電動工具では、内装した電動モータの回転数や出力等（動作状態）を使用者が視覚的に確認できるようにするための表示部が設けられている。下記の特許文献１には、工具本体の後面に配置した表示部について落下時等における衝撃から保護するための技術が開示されている。また、下記の特許文献２には、使用者が把持するグリップ部の下部に電動モータの動作を制御するコントローラと、このコントローラにより動作制御される電動モータの動作状態等を視覚的に表示する表示部を設けた回転打撃工具に関する技術が開示されている。
【先行技術文献】
【特許文献】
【０００３】
【特許文献１】特許第５３７０７５１号公報
【特許文献２】特開２０１２−１３９７４７号公報
【発明の概要】
【発明が解決しようとする課題】
【０００４】
電動工具の動作状態を視覚的に報知するコントローラ表示部については、次のような問題があった。近年特に回転打撃工具等のねじ締め機については、作業内容や締め付けるねじの種類等に合わせて動作モードを切り換えることができるようにしたり、出力回転数を任意に設定できるようにする等の多機能化に伴って、コントローラが大型化するとともに、その表示部についても大型化する傾向にある。また、表示部に、モード切替スイッチや照明具を点灯、消灯させる照明スイッチを配置する場合には、一層大型化しやすくなる。
【０００５】
しかしながら、各種の動作状態を一括して表示する表示部は通常平板形状（表示板）を有することから、コントローラに隣接して配置できるとともに、使用者の視認性や平坦な部位である必要等を考慮すると、当該表示部についても当然許容される大型化にも限界があった。逆に、多機能表示の表示部を小型化すれば、各表示及びその文字表記の視認性が損なわれ、また各種スイッチの操作性が損なわれてしまう。
【０００６】
本発明は係る従来の問題に鑑みてなされたもので、主としてコントローラによる電動モータ等の動作状態を表示する表示部について、その視認性や操作性を損なうことなく、より多くの表示を可能とし、また各種の操作スイッチを配置できるようにすることを目的とする。
【課題を解決するための手段】
【０００７】
上記の課題は、以下の各発明により解決される。第１の発明は、電動モータを駆動源として内装する工具本体部と、該工具本体部から下方に延び、使用者が把持するグリップ部と、該グリップ部の先端に電源部とを有する電動工具である。第１の発明では、電源部に、電動モータの動作を制御するコントローラと、このコントローラによって制御され、電動モータの動作状態を表示する表示部とを備えている。第１の発明では、コントローラと表示部はそれぞれ平板形状を有して相互に平行に配置されており、表示部がコントローラに対して面方向にはみ出して配置された構成を備えている。
【０００８】
第１の発明によれば、コントローラに対して表示部が面方向にはみ出して配置されていることから、このはみ出した部分だけ当該表示部の表示可能面積が大きくなってより多くの表示若しくは操作スイッチを配置することができる。表示若しくは操作スイッチを小さくすることにより多くの表示若しくは操作スイッチを配置する構成ではないので、その視認性及び操作性を損なうことがない。
【０００９】
従来、この種の表示部はコントローラからはみ出さないように配置されていた。一般的に表示部の操作スイッチや発光部は、コントローラに搭載したボタンスイッチやＬＥＤ（発光ダイオード）の真上に位置させることから、従来は当該表示部をコントローラに対して面方向にはみ出さない位置でほぼ重ね合わせたように組み付けられていた。このため、表示部はコントローラのボタンスイッチやＬＥＤの真上を覆うに足る面積を有し、その面積の範囲内で操作スイッチや発光部を配置し、またその種別を表示する文字表記を配置していた。その結果、表示部に配置できる発光部や操作スイッチの数に制限を受けていた。
【００１０】
第１の発明は、グリップ部を把持した使用者の手で隠されてしまう等の問題が生じない範囲でコントローラからはみ出させて表示部の面積を大きくし、このはみ出した部分に例えば文字表記を配置すれば、はみ出さない部分により多くの発光部や操作スイッチを配置できることに着目してなされたものである。
【００１１】
第２の発明は、第１の発明において、表示部は、操作スイッチと発光部と、操作スイッチ若しくは発光部の種別を表示する文字表記とを有し、文字表記をコントローラに対して面方向にはみ出させた部分に表示した電動工具である。
【００１２】
第２の発明によれば、はみ出した部分に文字表記を表示する結果、その分だけコントローラに対してはみ出さない部分に空きができ、この空いた部分により多くの操作スイッチや発光部を配置することができる。
【００１３】
第３の発明は、第１又は第２の発明において、表示部とコントローラが相互に別体の部品として電源部に組み付けられている電動工具である。
【００１４】
第３の発明によれば、コントローラに対して表示部が面方向にはみ出して組み付けられることによる部品としての取り扱い性及び組み付け性が損なわれるといった問題を回避することができる。
【００１５】
第４の発明は、第１〜第３の何れか一つの発明において、表示部に、１つの照明スイッチと、２つのモード切替スイッチを有する電動工具である。
【００１６】
第４の発明によれば、照明スイッチの文字表記若しくはモード切替スイッチの文字表記をコントローラに対して面方向にはみ出した部分に表示しておくことができる。
【００１７】
第５の発明は、第１〜第４の何れか一つの発明において、電源部に直流電源として充電可能なバッテリパックを取り付け可能であり、表示部にバッテリパックの残容量を表示する発光部を有する電動工具である。
【００１８】
第５の発明によれば、残容量を表示する発光部の文字表記を、コントローラに対して面方向にはみ出す部分に表示しておくことができる。
【００１９】
第６の発明は、第１〜第５の発明において、表示部に、複数の発光部を左右に横並び状態で配置した発光部列を前後に２列備えた電動工具である。
【００２０】
第６の発明によれば、複数の発光部を効率よく整然と配置することができる。
【００２１】
第７の発明は、第１〜第６の発明において、表示部に、それぞれ表示する内容が異なる複数の発光部を左右に横並び状態で配置した電動工具である。
【００２２】
第７の発明によれば、異なる表示機能を有する発光部を効率よく整然と配置することができる。
【００２３】
第８の発明は、電動モータと、電動モータの前方側に配置され、電動モータにより駆動される先端工具保持部と、電動モータを収容する工具本体部と、工具本体部から下方に延び、使用者が把持するグリップ部と、グリップ部の下方に配置される拡径部と、を有し、拡径部にＬＥＤを収容し、拡径部の上面に、ＬＥＤの光の発光部を設け、発光部の前方に、ＬＥＤに関連した文字表示を配置した電動工具である。
【００２４】
第８の発明によれば、ＬＥＤに関連した文字表示を表示する領域について、ＬＥＤを搭載した基板よりも表示部を前方へ拡張することができ、これにより当該表示部の視認性及び操作性を損なうことなく、より多くのスイッチ類及び発光部を配置することができる。
【００２５】
第９の発明は、電動モータと、電動モータの前方側に配置され、電動モータにより駆動される先端工具保持部と、電動モータを収容する工具本体部と、工具本体部から下方に延び、使用者が把持するグリップ部と、グリップ部の下方に配置される拡径部と、を有し、拡径部にＬＥＤを収容し、拡径部の上面に、ＬＥＤの光の発光部を設け、上下方向において、ＬＥＤと発光部を相互に面方向にずらした電動工具である。
【００２６】
第９の発明によれば、ＬＥＤを搭載した基板に対して表示部を面方向にずらすことにより、当該表示部をずらした分だけ拡張することができ、これにより当該表示部の視認性及び操作性を損なうことなく、より多くのスイッチ類及び発光部を配置することができる。
【００２７】
第１０の発明は、電動モータを駆動源としてねじ締め方向に打撃力を与える回転打撃機構を内装した工具本体部と、工具本体部から下方に延び、使用者が把持するグリップ部と、グリップ部の先端に電源部とを有する電動工具である。第１０の発明では、電源部に回転打撃機構の動作状態を表示する表示部を備えている。第１０の発明では、表示部に、回転打撃機構の打撃力を切り替える打撃力切替スイッチと、打撃力を表示する打撃力表示部と、回転打撃機構の動作状態について予め設定した動作モードであることを報知するモード表示部が横一列に配置された構成となっている。第１０の発明において、特定の動作モードでは、電動モータの回転数について、ねじ締め初期段階では低速回転され、ねじ締め負荷が所定値を超えると高速回転に切り替える制御がなされる構成となっている。
【００２８】
第１０の発明によれば、電源部の面積が比較的狭小である場合に、表示部をコンパクトに配置することができる。表示部に、打撃力切替スイッチと、打撃力表示部と、モード表示部が横一列（左右に横並び状態）に配置されることにより、当該表示部が前後方向にコンパクトに構成される。予め設定した特定の動作モードでは、ねじ締め負荷の増大に合わせて電動モータが高速回転に自動的に切り替わって、ねじ締め作業の便宜が図られる。
【００２９】
第１１の発明は、第１０の発明において、表示部は、予め設定した動作モードに切り替わると、モード表示部に設けた発光部のみが発光する構成とした電動工具である。
【００３０】
第１１の発明によれば、予め設定した動作モードに切り替わったことについて当該表示部に視認性を高めることができる。
【００３１】
第１２の発明は、第１０又は第１１の発明において、打撃力切替スイッチは、前記回転打撃機構の打撃力の切り替え機能に加えて、前記予め設定した特定の動作モードへの切り替え機能、及び前記工具本体部に設けた照明具の点灯及び消灯の切り替え機能を有する電動工具である。
【００３２】
第１２の発明によれば、一つの打撃力切替スイッチに複数の切り替え機能を持たせることにより、表示部のコンパクト化を図ることができる。
【００３３】
第１３の発明は、電動モータを駆動源として内装する工具本体部と、工具本体部から下方に延び、使用者が把持するグリップ部と、グリップ部の先端に電源部とを有する電動工具である。第１３の発明では、電源部に工具本体部の動作状態を表示する表示部を備えている。第１３の発明では、表示部に、複数の発光部が左右に横一列に配置された発光部列を前後に２列備えた構成となっている。
【００３４】
第１３の発明によれば、多くの発光部を効率よく配置して表示部の多機能化を図ることができる。
【図面の簡単な説明】
【００３５】
【図１】本実施形態に係る電動工具の全体斜視図である。本図は、右斜め前方から見た状態を示している。
【図２】本実施形態に係る電動工具の縦断面図である。
【図３】電源部の左側面図である。
【図４】電源部を図３中矢印(IV)方向から見た図であって、第１実施形態に係る表示部の平面図である。
【図５】図３の(V)部拡大図であって、第１実施形態に係る表示部の縦断面図である。
【図６】電源部の左側面図である。
【図７】電源部を図６中矢印(VII)方向から見た図であって、第２実施形態に係る表示部の平面図である。
【図８】図６の(VIII)部拡大図であって、第２実施形態に係る表示部の縦断面図である。
【図９】第２実施形態に係る表示部の平面図である。
【図１０】第３実施形態に係る表示部の平面図である。
【図１１】第４実施形態に係る表示部の平面図である。
【図１２】第５実施形態に係る表示部の平面図である。
【図１３】第６実施形態に係る表示部の平面図である。
【図１４】電動モータの回転数の変動を折れ線グラフで示す図である。本図は、打撃モードの「最速」を示している。
【図１５】電動モータの回転数の変動を折れ線グラフで示す図である。本図中、折れ線（２）は打撃モードの「強」を示し、折れ線（３）は打撃モードの「中」を示し、折れ線（４）は打撃モードの「弱」を示している。
【図１６】電動モータの回転数の変動を折れ線グラフで示す図である。本図中折れ線（５）はテクスモードの正転時を示し、折れ線（６）はテクスモードの逆転時を示している。
【図１７】電動モータの回転数の変動を折れ線グラフで示す図である。本図中折れ線（７）は楽らくモードの正転時を示し、折れ線（８）は楽らくモードの逆転時を示している。
【図１８】第７実施形態に係る表示部を備えた電動工具の全体斜視図である。
【図１９】第７実施形態に係る表示部の平面図である。
【発明を実施するための形態】
【００３６】
次に、本発明の実施形態を図１〜図１９に基づいて説明する。図１及び図２は、本実施形態に係る電動モータ２０を駆動源として内装する電動工具１を示している。本例では、電動工具１の一例として、いわゆるインパクト式のねじ締め機（インパクトドライバ）が示されている。以下の説明において、電動工具１の前後方向については、出力側（先端工具側）を前側とし、使用者から見て手前側を後ろ側とする。また、左右方向についてはグリップ部１５を把持した使用者を基準にして用いる。
【００３７】
電動工具１は、工具本体部１０と、工具本体部１０の下面から下方へ突き出す状態に設けられたグリップ部１５を備えている。工具本体部１０は、概ね円筒形の本体ケース１１を備えている。本体ケース１１の後面側は、後部ケース１２により閉塞されている。後部ケース１２は２本のねじによって本体ケース１１の後面側を塞ぐ状態に固定されている。
【００３８】
グリップ部１５は、使用者が当該電動工具１を使用する際に把持する部分であり、その前面上部には使用者が指先で引き操作するトリガ１６が設けられている。このトリガ１６を引き操作するとグリップ部１５内に収容したメインスイッチ１８がオンして駆動源としての電動モータ２０が起動する。
【００３９】
本体ケース１１とグリップ部１５は、左右の半割りケースを相互に結合して一体化した半割り構造を備えている。半割り構造の合わせ面は、モータ軸２４の軸線方向に沿っている。本体ケース１１とグリップ部１５は、この合わせ面で左右に二分割可能な半割り構造を備えている。本体ケース１１とグリップ部１５の半割り構造は、合計８本のねじ２で相互に結合されている。
【００４０】
グリップ部１５の下部には、当該電動工具１の電源としてのバッテリパック４０を装着するための電源部１７が設けられている。この電源部１７は、主として前方（図１において右側）へ張り出す状態（拡径部）に設けられている。この電源部１７の下面側にバッテリパック４０が装着される。電源部１７の上面には、当該電動工具１の動作状態を視覚的に報知するための表示部１９が設けられている。本実施形態はこの表示部１９について特徴を有している。表示部１９の特徴については後述する。
【００４１】
図２に示すように本体ケース１１内には、その後側から順番に電動モータ２０、遊星歯車機構３０、駆動軸３１、回転打撃機構３２、及びアンビル３３が同軸に収納されている。電動モータ２０の回転出力が遊星歯車機構３０及び回転打撃機構３２を経てアンビル３３に伝達される。
【００４２】
回転打撃機構３２は、駆動軸３１の回転をアンビル３３に対する回転打撃動作に変換する機能を有するもので、駆動軸３１に対して同軸で回転可能かつ軸方向移動可能に支持されたハンマー３２ａと、このハンマー３２ａを先端側に付勢する圧縮ばね３２ｂと、ハンマー３２ａの軸方向移動と回転動作を規制する鋼球３２ｃを備えている。
【００４３】
アンビル３３は、駆動軸３１の先端に同軸で相対回転可能に支持されている。このアンビル３３の軸部（出力軸３６）は、円筒形の軸受３４を介して本体ケース１１の先端部に対して軸回りに回転自在に支持されている。
【００４４】
ねじ締め開始後、ねじ締め負荷が小さい段階では、アンビル３３は回転打撃機構３２を介して駆動軸３１と一体でねじ締め方向へ回転する。ねじ締めが進行してねじ締め負荷が駆動軸３１に伝達される回転力に勝ると、ハンマー３２ａが圧縮ばね３２ｂに抗して駆動軸３１に対して相対回転しつつ軸方向に後退する。ハンマー３２ａが圧縮ばね３２ｂに抗して後退するとアンビル３３に対する係合状態が外れる。このため、ハンマー３２ａが圧縮ばね３２ｂの付勢力によって前進しつつ回転してアンビル３３をねじ締め方向に打撃する。本体ケース１１の前部から突き出された出力軸３６の先端部には、ドライバビットやソケットビット等の先端工具（図示省略）を装着するための工具保持部３５が設けられている。
【００４５】
電動モータ２０はＤＣブラシレスモータで、本体ケース１１の内側に固定された固定子２１と、固定子２１の内周側にモータ軸２４を介して回転自在に支持された回転子２２を備えている。モータ軸２４は、前後二つの軸受２５，２６を介してその軸線周りに回転自在に支持されている。軸受２５，２６にはそれぞれ玉軸受（ボールベアリング）が用いられている。前側の軸受２５は、本体ケース１１内を前後に区画する中間区画壁２７に保持されている。この中間区画壁２７によって当該本体ケース１１内が電動モータ２０側（後側）と回転打撃機構３２側（前側）に区画されている。中間区画壁２７と回転子２２との間においてモータ軸２４上には冷却ファン２８が取り付けられている。冷却ファン２８にはいわゆる遠心ファンが用いられている。後ろ側の軸受２６は、後部ケース１２の内面に設けた軸受保持部１２ａに保持されている。
【００４６】
固定子２１の後ろ側には、回転子２２の回転位置を検出するための磁気センサを有するセンサ基板２３が配置されている。センサ基板２３は概ね円板形を有しており、固定子２１の後端面に対向する状態で配置されている。センサ基板２３の内周孔２３ｂは大径の円形孔に形成されている。図示するようにセンサ基板２３の内周孔２３ｂ内に、上記後側の軸受２６及び軸受保持部１２ａが進入している。これにより工具本体部１０の機長(モータ軸線方向の長さ）のコンパクト化が測られている。センサ基板２３は、固定子２１の電気絶縁部材の後面に沿って３本の止めねじ２３ａにより周方向三等分位置でねじ止めされている。なお、本実施形態では、冷却ファン２８が回転子２２の前側に配置され、センサ基板２３が固定子の後面側に配置された構成を例示しているが、冷却ファンとセンサ基板が前後逆に配置された電動モータについても同様に適用することができる。
【００４７】
工具本体部１０の前部には、照明具５が装備されている。照明具５には、ＬＥＤ（発光ダイオード）が用いられている。照明具５は透明カバー５ａで覆われている。この照明具５によって加工部位が明るく照らされて暗い場所での作業の便宜が図られる。
【００４８】
工具本体部１０の下面側であってグリップ部１５の基部には、出力軸３６の回転方向を切り換えるための切り替えスイッチ６が配置されている。この切り替えスイッチ６を左右に切り換えることにより、出力軸３６をねじ締め方向またはねじ緩め方向に回転させることができる。
【００４９】
電源部１７の後部には、ループ形のハンドストラップ３が取り付けられている。このハンドストラップ３は、電源部１７においてグリップ部１５の左右半割り構造を結合する２本のねじ２のうち後ろ側のねじ２によって結合されている。このハンドストラップ３に手首を通しておくことにより、当該電動工具１を誤って落下させてしまうことが防止される。
【００５０】
図２及び図３に示すように、電源部１７には、平板形状のコントローラ９が収容されている。このコントローラ９は、モータ制御回路や電源回路等を含む制御基板７を矩形底浅のケース８に収容した構成を備えている。制御基板７の上面にはコンデンサ７ａが搭載されている。制御基板７は樹脂モールドされて絶縁された状態でケース８に収容されている。コントローラ９の下面側には、バッテリパック４０を電気的に接続するための正負の接続端子が装備されている。正負の接続端子に結線された２本の電源線は、上方へ引き出されてグリップ部１５内を配線され、センサ基板２３に結線されている。センサ基板２３の下部は、固定子２１よりも外周側へ張り出しており、この張り出し部分の前面に２本の電源線が結線されている。
【００５１】
電源部１７の下面に対してバッテリパック４０を前側から後ろ側へスライドさせることにより当該バッテリパック４０を電源部１７に取り付けることができる。バッテリパック４０は、例えば出力電圧１４．４Ｖ仕様のリチウムイオンバッテリで、取り外して別途用意した充電器で充電することにより繰り返し使用することができる。
【００５２】
電源部１７の上面には、バッテリパック４０の残容量や工具本体部１０の動作状態を表示するための表示部１９が設けられている。本実施形態では、この表示部１９に、各種表示の他、照明具５のオンオフ状態を切り換える照明スイッチや動作モードを切り換えるためのモード切替スイッチが配置されており、操作パネルとして機能する。表示部１９は、前側が短辺の概ね台形の平板形状をなし、コントローラ９の上方に沿って配置されている。表示部１９は、コントローラ９とは別体の部品で、電源部１７の上面に設けた窓部に嵌め込まれて取り付けられている。
【００５３】
図３〜図５に示すように表示部１９の前部は、コントローラ９の前端より前方へはみ出す状態に配置されている。この表示部１９には、３つのスイッチ部Ｓ１、Ｓ２、Ｓ３と、合計９つの発光部Ｌ１〜Ｌ９が表示されている。３つのスイッチ部Ｓ１、Ｓ２、Ｓ３は、当該表示部１９の後端側に沿って左右横並び状態で配置されている。３つの発光部Ｌ１〜Ｌ３は、スイッチ部Ｓ１とスイッチ部Ｓ２との間において、左右に横並び状態で配置されている。残り６つの発光部Ｌ４〜Ｌ９は、当該表示部１９の前端側に沿って左右に横並び状態で配置されている。３つの発光部Ｌ１〜Ｌ３は当該表示部１９の後側において左右に横並び状態に配置されて後側の発光部列を構成し、６つの発光部Ｌ４〜Ｌ９は、当該表示部１９の前側において左右に横並び状態に配置されて前側の発光部列を構成している。
【００５４】
コントローラ９の制御基板７上には、スイッチ部Ｓ１、Ｓ２、Ｓ３に対応して３つのボタンスイッチｄ１、ｄ２、ｄ３が搭載されている。３つのボタンスイッチｄ１，ｄ２，ｄ３の真上にスイッチ部Ｓ１、Ｓ２、Ｓ３が配置されている。各スイッチ部Ｓ１、Ｓ２、Ｓ３を指先で押し操作すると対応するボタンスイッチｄ１、ｄ２、ｄ３がオンオフ操作される。図４及び図７に示すようにスイッチ部Ｓ１，Ｓ２，Ｓ３は、対応するボタンスイッチｄ１，ｄ２，ｄ３の真上に円柱体部分を位置させ、この円柱体部分をヒンジ部を介して当該表示部１９に支持したもので、ヒンジ部から見てそれぞれ左右に傾いた向きで配置されて当該表示部１９の前後方向のコンパクト化が図られている。
【００５５】
スイッチ部Ｓ１とスイッチ部Ｓ２との間に配置された発光部Ｌ１〜Ｌ３に対応して制御基板７上に、３つのＬＥＤｅ１、ｅ２、ｅ３が搭載されている。各ＬＥＤｅ１、ｅ２、ｅ３の真上に発光部Ｌ１，Ｌ２，Ｌ３が配置されている。各ＬＥＤｅ１、ｅ２、ｅ３の発光が対応する発光部Ｌ１，Ｌ２，Ｌ３に照射されて各発光部Ｌ１，Ｌ２，Ｌ３が点灯する。
【００５６】
制御基板７の前端縁に沿って６つのＬＥＤｅ４〜ｅ９が左右に横並び状態で搭載されている。図４に示すように６つのＬＥＤｅ４〜ｅ９に対して前側へずれた位置に上記６つの発光部Ｌ４〜Ｌ９が位置している。図５に示すように各ＬＥＤｅ４〜ｅ９の発光は、それぞれ上方斜め前側に傾斜して設けられた導光部１９ａを経て対応する発光部Ｌ４〜Ｌ９に照射される。この導光部１９ａを介して前側へずれた位置に配置された６つの発光部Ｌ４〜Ｌ９は、コントローラ９の前端から前方へはみ出した位置に配置されている。
【００５７】
以上のように構成した表示部１９によれば、当該表示部１９の表示面積を前方へ拡大することができるので、より多くの発光部やスイッチ部を視認性及び操作性を損なうことなく配置することができるようになる。
【００５８】
また、表示部１９を前側であってグリップ部１５とは反対側へ拡張する構成であることから、グリップ部１５を把持した手が邪魔になって当該表示部１９が見づらくなるといったことなく、当該表示部１９に視認性を確保することができる。
【００５９】
さらに、表示部１９とコントローラ９が相互に別体の部品として電源部１７に組み付けられた構成であることから、コントローラ９に対して表示部１９が面方向にはみ出して組み付けられることによる部品としての取り扱い性及び組み付け性が損なわれるといった問題を回避することができる。
【００６０】
以上説明した実施形態には種々変更を加えることができる。例えば、図６〜図８には、第２実施形態の表示部５０が例示されている。変更を要しない部材及び構成については同位の符号を付してその説明を省略する。第２実施形態に係る表示部５０も前側が短辺の概ね台形の平板形状を有している。この表示部５０に、３つのスイッチ部Ｓ１、Ｓ２、Ｓ３と、合計９つの発光部Ｌ１〜Ｌ９が表示されている。３つのスイッチ部Ｓ１、Ｓ２、Ｓ３は、当該表示部１９の後端側に沿って左右横並び状態で配置されている。３つの発光部Ｌ１〜Ｌ３は、スイッチ部Ｓ１とスイッチ部Ｓ２との間において、左右に横並び状態で配置されている。残り６つの発光部Ｌ４〜Ｌ９は、導光部５０ａを介してＬＥＤｅ４〜ｅ９の真上に配置されている。このため、第２実施形態の表示部５０では、発光部Ｌ４〜Ｌ９は、スイッチ部Ｓ１，Ｓ２，Ｓ３の前列側であって、当該表示部５０の前端縁から一定の空き領域をおいて左右に横並びに配置されている。この空き領域に相当する範囲がコントローラ９の前端から前方へはみ出した状態となっている。このはみ出した領域には、後述するように各発光部Ｌ５〜Ｌ９に対応する文字表示がなされている。
【００６１】
コントローラ９の制御基板７上には、スイッチ部Ｓ１、Ｓ２、Ｓ３に対応して３つのボタンスイッチｄ１、ｄ２、ｄ３が搭載されている。３つのボタンスイッチｄ１，ｄ２，ｄ３の真上にスイッチ部Ｓ１、Ｓ２、Ｓ３が配置されている。各スイッチ部Ｓ１、Ｓ２、Ｓ３を指先で押し操作すると対応するボタンスイッチｄ１、ｄ２、ｄ３がオンオフ操作される。
【００６２】
スイッチ部Ｓ１とスイッチ部Ｓ２との間に配置された発光部Ｌ１〜Ｌ３に対応して制御基板７上に、３つのＬＥＤｅ１、ｅ２、ｅ３が搭載されている。各ＬＥＤｅ１、ｅ２、ｅ３の真上に発光部Ｌ１，Ｌ２，Ｌ３が配置されている。各ＬＥＤｅ１、ｅ２、ｅ３の発光が対応する発光部Ｌ１，Ｌ２，Ｌ３に照射されて各発光部Ｌ１，Ｌ２，Ｌ３が点灯する。
【００６３】
第２実施形態では、表示部５０の具体的な表示内容が図９に示されている。スイッチ部Ｓ１には、「楽らく」の文字表示がなされている。スイッチ部Ｓ１を押し操作すると発光部Ｌ４が発光して、当該電動工具１の動作モードが「楽らく」モードに切り換わったことが報知される。動作モードが「楽らく」モードに切り換わると、ねじ締め初期段階では電動モータは低速回転してゆっくりねじ締めがなされ、ねじ締め最終段階でねじ締め負荷が大きくなると電動モータが高速回転して打撃力が高められることにより確実なねじ締めがなされる。もう一度スイッチ部Ｓ１を押し操作すると、発光部Ｌ４が消灯して「楽らく」モードが解除される。
【００６４】
スイッチ部Ｓ２には、「ライト」の文字表示がなされている。照明スイッチとして機能するスイッチ部Ｓ２を押し操作すると照明具５のオン状態とオフ状態を切り換えることができる。照明具５のオン状態では、トリガ１６を引き操作すると照明具５が点灯する。トリガ１６の引き操作を解除すると一定時間後に照明具５が消灯する。照明具５を点灯させることにより作業部位が明るく照らされ、これにより暗所等でのねじ締め作業を迅速かつ確実に行うことができる。照明具５のオフ状態ではトリガ１６を引き操作しても照明具５は点灯しない。トリガ１６を引き操作したときに、照明具５が点灯すればオン状態であり、点灯しなければオフ状態であることを確認することができる。
【００６５】
スイッチ部Ｓ１とスイッチ部Ｓ２との間に配置された３つの発光部Ｌ１，Ｌ２，Ｌ３によりバッテリパック４０の残容量が報知される。３つの発光部Ｌ１，Ｌ２，Ｌ３は、乾電池の図柄の枠５０ｂで囲まれてバッテリパック４０の残容量表示であることが一目で判別できるようになっている。バッテリパック４０の残容量が例えば５０パーセント以上で十分である場合には３つの発光部Ｌ１，Ｌ２，Ｌ３がともに点灯し、残容量の低下に伴って点灯する発光部Ｌ１，Ｌ２，Ｌ３の数が少なくなる。１つの発光部Ｌ３が点灯する状態ではバッテリパック４０の残容量が例えば２０パーセント未満で残り少なくなっており、充電が必要であることが報知される。
【００６６】
スイッチ部Ｓ３には、「打撃」の文字表示がなされている。スイッチ部Ｓ３を押し操作すると当該電動工具１の動作が「打撃」モード（インパクトモード）に切り換わる。最前列の６つの発光部Ｌ４〜Ｌ９のうち、「楽らく」モードに対応した発光部Ｌ４を除いた５つの発光部Ｌ５〜Ｌ９が、スイッチ部Ｓ３を基点として表示した枠５０ｃによって囲まれている。５つの発光部Ｌ５〜Ｌ９のうち、右側４つの発光部Ｌ５〜Ｌ８は、打撃力の大きさにより点灯する。４つの発光部Ｌ５〜Ｌ８の前側には、右側から「最速」、「強」、「中」、「弱」の文字表示がなされている。最前列の残り１つの発光部Ｌ９の前側には、「テクス用」の文字表示がなされている。
【００６７】
「打撃」の文字表示がなされたスイッチ部Ｓ３を押し、「テクス用」の文字表示がなされた発光部Ｌ９が発光する状態になると、当該電動工具１の動作モードが「テクス用」モードに切り換わる。「テクス用」モードは、いわゆるテクス用ねじの締め付け作業を想定した動作モードで、ねじ締め当初は高速回転して迅速な締め込みがなされ、ねじ締め負荷が大きくなって打撃が開始されると電動モータ２０が自動的に中速回転に切り換わって打撃数（打撃力）が抑制される。ねじ締め最終段階で、打撃力が抑制されることによりねじ折れやいわゆるカムアウトと称されるねじの頭飛びを回避することができる。
【００６８】
「テクス用」モードでスイッチ部Ｓ３を押し操作すると、押し操作ごとに発光部Ｌ５〜Ｌ８がＬ５（「最速」）→Ｌ６（「強」）→Ｌ７（「中」）→Ｌ８（「弱」）の順で順次点灯する。発光部Ｌ５を点灯させると電動モータ２０の出力回転数は最速となって打撃力が最大となり、以下順に電動モータ２０の出力回転数が小さくなって打撃力が「強」→「中」→「弱」となる。このように、電動モータ２０の出力回転数領域を４段階で切り換えることができ、これにより打撃力の大きさをねじ長さや被締め込み材の材質等に合わせて４段階で切り換えることができる。
【００６９】
図１４〜図１７には、各動作モードにおける電動モータ２０の回転数の大まかな制御状態が示されている。図１４中折れ線（１）で示すように打撃モードで４つの発光部Ｌ５、Ｌ６、Ｌ７、Ｌ８が共に点灯した打撃最速モードでは、電動モータ２０の回転数は、起動後（ｔ１）時間で最高回転数ｒ１(r.p.m)に達する。この打撃最速モードでは、回転数の上昇率（加速率）は、１(％/ms)に設定されている。この打撃最速モードにおいて、電動モータ２０の回転数は正転時（ねじ締め時）と逆転時で一致している。最高回転数ｒ１は、例えば３０００(r.p.m)に設定することができる。
【００７０】
図１５中折れ線（２）で示すように打撃モードで３つの発光部Ｌ６、Ｌ７、Ｌ８が点灯した打撃強モードでは、電動モータの回転数は、起動後ｔ４時間でｒ４(r.p.m)に達する。打撃モードで２つの発光部Ｌ７、Ｌ８が点灯した打撃中モードでは、図１５中折れ線（３）で示すように起動後ｔ３時間で電動モータ２０の回転数はｒ３(r.p.m)に達する。１つの発光部Ｌ８が点灯した打撃弱モードでは、折れ線（４）で示すように起動後ｔ２時間で電動モータ２０の回転数はｒ２(r.p.m)に達する。この打撃モードの「強」、「中」、「弱」の各モードでは、加速率は３(％/ms)に設定されている。また、「強」、「中」、「弱」の各モードでは、正転時と逆転時で回転数の変動が一致している。回転数ｒ２，ｒ３，ｒ４は、それぞれ例えば９００(r.p.m)、１８００(r.p.m)、２８００(r.p.m)に設定することができる。
【００７１】
図１６は、打撃モードで発光部Ｌ９を点灯させた「テクスモード」での電動モータ２０の回転数の変動を示している。テクスモードでねじ締めを行う正転時では、折れ線（５）で示すように起動後ｔ１時間で電動モータ２０の回転数は最高回転数ｒ１(r.p.m)に達する。最高回転数ｒ１(r.p.m)で打撃回数が２回カウントされたｔ５時間経過の段階で、電動モータ２０の回転数はｒ５(r.p.m)まで減速されて打撃力が抑制される。折れ線（６）で示すように逆転時には、同じ加速率で最高回転数に達した後、打撃回数に関係なく、電動モータ２０の回転数は最高回転数ｒ１(r.p.m)に維持される。なお、最高回転数ｒ１(r.p.m)に達するまでの加速率は、正転時、逆転時とも最速モード（図１４）と同じく１(％/ms)に設定されている。回転数ｒ５(r.p.m)は、例えば１４００(r.p.m)に設定することができる。
【００７２】
図１７は、発光部Ｌ４を点灯させた楽らくモードでの電動モータ２０の回転数の変動を示している。楽らくモードでねじ締めを行う正転時では、折れ線（７）に示すように起動後加速率３(％/ms)で加速して回転数ｒ５(r.p.m)に達した低速状態が維持される。回転数ｒ５(r.p.m)で、例えばｔ６で１回目の打撃回数がカウントされ、ｔ７で１５回目の打撃回数がカウントされた時点で、電動モータ２０の回転数は、二次曲線的に上昇して最高回転数ｒ１(r.p.m)に達し、これにより打撃力が高められる。折れ線（８）で示すように逆転時には、加速率１(％/ms)で加速してｔ１時間後に最高回転数ｒ１(r.p.m)に達し、その後最高回転数ｒ１(r.p.m)に維持される。なお、楽らくモードにおける回転数ｒ５(r.p.m)は、前記テクスモードにおける回転数ｒ５(r.p.m)とは異なる回転数に設定してもよい。
【００７３】
以上説明したように各モードにおいて電動モータ２０の回転数が締め付けるねじの種類や締め付け材に合わせてきめ細かく制御されるようになっており、これにより各種のねじ締めが効率よくなされるようになっている。
【００７４】
以上説明したように第２実施形態によれば、表示部５０は、その前側をコントローラ９の前端から前方へ張り出した状態に配置されている。第２実施形態では、最前列の発光部Ｌ５〜Ｌ９に対応する文字表示が、コントローラ９の前端から前方へはみ出した位置に配置されている。このため、前方へはみ出した部分だけ当該表示部５０の表示可能面積が大きくなり、当該はみ出した領域に文字表示を配置することにより、当該文字表示の視認性やスイッチ部Ｓ１〜Ｓ３の操作性を損なうことなく配置することができる。
【００７５】
一般に、表示部の文字表示や発光表示若しくは操作スイッチを、コントローラの基板に搭載したボタンスイッチやＬＥＤ（発光ダイオード）の真上に位置させることから、従来のように平面的に見てコントローラからはみ出さない大きさの表示部を配置する場合には、その面積の範囲内で文字表示や発光表示若しくは操作スイッチを配置する必要があり、その結果、表示部に配置できる発光部や操作スイッチの数に制限を受けていた。
【００７６】
第２実施形態の表示部５０によれば、グリップ部１５を把持した使用者の手で隠されてしまう等の問題が生じない前方へ面積を拡大してコントローラの前端から面方向にはみ出させて配置することにより、このはみ出した部分にも文字表示や発光表示を配置することができ、これによりこれらの視認性及び操作性を低下させることなくより多くの表示若しくは操作スイッチを配置することができるようになる。第２実施形態では、表示部５０に、１つの照明スイッチＳ２と、２つのモード切替スイッチＳ１，Ｓ３を配置することができる。
【００７７】
表示部５０の各種モード切替スイッチ若しくは発光部の配置について適宜変更することができる。図１０に示す第３実施形態の表示部６０は、第２実施形態の「楽らく」の文字表示に代えてスイッチ部Ｓ１に「モード」の表示がなされている。スイッチ部Ｓ１を基点とする枠６０ａ内に２つの発光部６１，６２が配置されている。発光部６１は、制御基板７上のＬＥＤｅ４に対応する発光部で、発光部６２は制御基板７上のＬＥＤｅ５に対応する発光部となっている。第３実施形態では、制御基板７上においてＬＥＤｅ５がＬＥＤｅ４側（図１０において右側）にずれて配置されている。発光部６１には「アシスト」の文字表示がなされ、発光部６２には「カスタム」の文字表示がなされている。「アシスト」と「カスタム」の文字表示は、コントローラ９の前端から前方へはみ出した領域に配置されている。
【００７８】
「モード」の文字表示がなされたスイッチ部Ｓ１を押し操作すると「アシスト」の文字表示がなされた発光部６１が発光し、もう一回押し操作すると「カスタム」の文字表示がなされた発光部６２が発光する。「アシスト」モードでは、打撃当初は低速回転で、一定回数打撃後に高速回転に自動的に切り換わることにより、不慣れな作業者であっても迅速かつ確実なねじ締めを行うことができる。「カスタム」モードでは、使用者が任意に設定した電動モータ２０の回転数に切り換えることができる。
【００７９】
第２実施形態と同じく枠５０ｂで囲まれた３つの発光部Ｌ１〜Ｌ３によりバッテリパック４０の残容量が表示される。また、「打撃」の文字表示がなされたスイッチ部Ｓ３によりテクスモードの切り替えがなされる。第３実施形態では、テクスモードでは、電動モータ２０の出力回転数が三段階で切り換えられて打撃力が三段階で切り換えられ、それぞれ「強」、「中」、「弱」の文字表示がなされた発光部Ｌ６，Ｌ７，Ｌ８が発光することにより報知される。発光部Ｌ６，Ｌ７，Ｌ８の文字表示「強」、「中」、「弱」と、発光部Ｌ９の文字表示「テクス用」は、いずれもコントローラ９の前端から前方へはみ出した領域に表示されている。
【００８０】
図１１には、第４実施形態の表示部７０が示されている。第４実施形態の表示部７０は、バッテリパック４０の残容量表示部の位置が第３実施形態の表示部６０とは異なっている。変更を要しない部材及び構成については第１〜第３実施形態と同位の符号を用いてその説明を省略する。第４実施形態では、バッテリパック４０の残容量を表示する発光部Ｌ１〜Ｌ３が同じく枠５０ｂで囲まれて前列側に配置されている。このため、制御基板７上において、ＬＥＤｅ１〜ｅ３が前端に沿って搭載されている。
【００８１】
第４実施形態では、「モード」の文字表示がなされたスイッチ部Ｓ１の位置は第３実施形態と同じであるが、枠７０ａがスイッチ部Ｓ１を基点として左方に延びている。この枠７０ａ内に「アシスト」の文字表示がなされた発光部７１と「カスタム」の文字表示がなされた発光部７２が配置されている。このため、制御基板７上において、ＬＥＤｅ４，ｅ５がボタンスイッチｄ１の左側に搭載されている。第４実施形態において、「モード」の文字表示がなされたスイッチ部Ｓ１の切り替え機能は第３実施形態と同じで、ねじ締め負荷の増大により自動的に高速化する「アシスト」モードと、回転数を任意に設定できる「カスタム」モードを切り替えることができる。
【００８２】
以上説明した各実施形態にはさらに変更を加えることができる。例えば、第３実施形態において、「モード」の文字表示がなされたスイッチ部Ｓ１を右側に配置し、「打撃」の文字表示がなされたスイッチ部Ｓ３を左側に配置した構成を例示したが、相互に逆に配置する構成としてもよい。バッテリパック４０の残容量を表示する発光部Ｌ１〜Ｌ３と、「ライト」の文字表示がなされたスイッチ部Ｓ２を左右逆に配置する構成としてもよい。
【００８３】
また、表示部１９，５０，６０，７０は、前側が短辺となる台形を有する構成を例示したが、後側が短辺となる台形、矩形、平行四辺形、丸形、長円形等その他の形状の表示部についても同様に適用することができる。
【００８４】
例示した表示部１９（５０，６０，７０）には、２つのモード切替スイッチ（スイッチ部Ｓ１，Ｓ３）と、バッテリパック４０の残容量表示Ｌ１〜Ｌ３と、照明具５のオンオフ切り替えスイッチ（スイッチ部Ｓ２）と、各種の状態を表示する表示部Ｌ４〜Ｌ９を含む構成を例示したが、その他の機能を有するモード切替スイッチ（スイッチ部）類あるいは発光部を追加して配置することができる。
【００８５】
各発光部Ｌ１〜Ｌ９の形状については、例示したような矩形に限らず、台形、円形、長円形等その他の形状に変更することができる。また、各発光部Ｌ１〜Ｌ９の発光色については、赤色、青色、緑色等その他の色に任意に変更することができる。各機能をグループ分けして、グループごとに異なる発光色を設定することもできる。
【００８６】
図１２には第５実施形態に係る表示部８０が示されている。この表示部８０は、角部が円弧形状を有する矩形の平板形状を有し、「モード」の文字表示がなされたスイッチ部８１と、「打撃」の文字表示がなされたスイッチ部８２と、２つの円形の発光部８３，８４と、３つの矩形の発光部８５，８６，８７と、バッテリパックの残容量表示部８８を備えている。スイッチ部８１は、当該表示部８０の右端寄りに配置され、残容量表示部８８は当該表示部８０の左端寄りに配置されている。残容量表示部８８は、前後方向に並んだ３つの発光部８８ａを乾電池を模した枠部８８ｂ内に配置した構成を備えている。３つの発光部８８ａの真下には、制御基板７上に搭載したＬＥＤが位置している。バッテリパック４０の残容量が十分であれば３つの発光部８８ａが点灯し、残容量が少なくなると点灯数が２つ若しくは１つになって充電が必要であることが報知される。
【００８７】
スイッチ部８２は、残容量表示部８８の被右隣に配置されている。２つの円形の発光部８３，８４は、当該表示部８０の前端寄りに配置されている。発光部８３はスイッチ部８１の左側に配置され、発光部８４はスイッチ部８２の右側に配置されている。３つの発光部８５，８６，８７は、スイッチ部８１とスイッチ部８２との間であって当該表示部８０のほぼ中央において上下に縦並び状態に配置されている。
【００８８】
スイッチ部８１は、円形のスイッチ枠８１ａ内に配置されている。スイッチ枠８１ａ内に「モード」の文字表示がなされている。スイッチ部８１を押し操作すると、円形の発光部８３が点灯し、かつ３つの発光部８５，８６，８７の何れか１つが点灯する。発光部８３が点灯することにより工具本体部１０の動作モードを切り替え可能な状態であることが報知される。
【００８９】
３つの発光部８５，８６，８７の右側には、上側から順に「テクス」、「アシスト」、「カスタム長押し」の文字表示がなされている。スイッチ部８１を１回押し操作すると、発光部８３が点灯するとともに、「テクス」の文字表示がなされた発光部８５が点灯する。発光部８５が点灯した状態では、工具本体部１０の動作モードがテクスモードに切り替る。スイッチ部８１をもう一度押し操作すると発光部８５が消灯する一方、発光部８６が点灯する。発光部８６が点灯した状態では、工具本体部１０の動作モードがアシストモードに切り替る。スイッチ部８１を長押しすると、円形の発光部８３と矩形の発光部８７が点灯する。これにより工具本体部１０の動作モードがカスタムモードに切り替る。
【００９０】
スイッチ部８２は、円形のスイッチ枠８２ａ内に配置されている。スイッチ枠８２ａ内に「打撃」の文字表示がなされている。スイッチ部８２を押し操作すると、円形の発光部８４が点灯し、かつ３つの発光部８５，８６，８７のうち、上下２つの発光部８５，８７の何れかが発光する。３つの発光部８５，８６，８７のうち、上側の発光部８５の左側に「強」の文字表示がなされ、下側の発光部８７の左側に「弱」の文字表示がなされている。
【００９１】
スイッチ部８２を押し操作すると、発光部８４が点灯するとともに、「弱」の文字表示がなされた発光部８７が点灯する。スイッチ部８２をもう一度押し操作すると、発光部８７に加えてその上側の発光部８６が点灯する。２つの発光部８６，８７が点灯した状態で、スイッチ部８２をもう一度押し操作すると「強」の文字表示がなされた発光部８５も点灯する。「弱」の文字表示がなされた発光部８７だけが点灯した状態では、電動モータ２０は低速回転に制御され、弱い打撃力が出力される。発光部８６，８７が点灯した状態では電動モータ２０が中速回転に制御されて、中程度の打撃力が出力される。３つの発光部８５，８６，８７が点灯した状態は電動モータ２０が高速回転に制御されて打撃力が強められる。
【００９２】
スイッチ部８２の後側（図１２では下側）には、「ライト長押し」の文字表示がなされている。「打撃」の文字表示がなされたスイッチ部８２を長押しすると、照明具５が点灯してねじ締め部位が明るく照らされ、これにより暗所での作業を効率よく行うことができる。スイッチ部８２をもう一度長押しすると照明具５が消灯する。スイッチ部８２は、打撃力の切り替え機能に加えて、照明具の点灯スイッチとしての機能を併せ持っている。
【００９３】
発光部８３，８４の周囲はそれぞれ半円弧形の２重線の枠部８３ａ，８４ａで囲まれている。枠部８３ａ，８４ａは、相互に左右対称に配置されている。左右の枠部８３ａ，８４ａにより、スイッチ部８１と発光部８３との関係、スイッチ部８２と発光部８４との関係が一目で判るようになっており、この点で表示部８０の操作性が高められている。枠部８３ａ，８４ａからは同じく２重線の案内線８３ｂ，８４ｂが引き出されている。両案内線８３ｂ，８４ｂは、「テクス」と「強」の文字表示がなされた上側の発光部８５の上部に至っている。「モード」の文字表示がなされたスイッチ部８１の枠部８１ａから２重線の案内線８１ｂが引き出されている。また、「打撃」の文字表示がなされたスイッチ部８２の枠部８２ａから２重線の案内線８２ｂが引き出されている。両案内線８１ｂ，８２ｂは、「カスタム長押し」と「弱」の文字表示がなされた下側の発光部８７の下部に至っている。枠部８１ａの下部からＬ字形で２重線の案内線８１ｃが引き出されている。この案内線８１ｃは、「カスタム長押し」の文字表示の右側に至っている。枠部８２ａの下部からＬ字形で２重線の案内線８２ｃが引き出されている。この案内線８２ｃは、「ライト長押し」の文字表示の左側に至っている。これらの各案内線８３ｂ、８４ｂ，８１ｂ，８２ｂ，８１ｃ，８２ｃにより、スイッチ部８１，８２と各発光部８５〜８７及び文字表示との関係が一目で判るようになっており、この点でも当該表示部８０の操作性が高められている。
【００９４】
図１２に示すように第５実施形態に係る表示部８０も、その前部が制御基板７の前端部に対して前方へずれた状態で配置されている。第５実施形態では、発光部８３，８４，８５と「テクス」、「強」の文字表示が制御基板７の前端部よりも前側にはみ出した領域に配置されている。発光部８３，８４，８５は、制御基板７上に搭載したＬＥＤ（図示省略）に対して前方へずれた位置に配置されている。発光部８３，８４，８５は、前方に傾斜する導光部（図５に示す導光部１９ａ）を経て発光する。発光部８６，８７の真下には、同じく制御基板７上に搭載したＬＥＤが位置している。
【００９５】
発光部８３，８４，８５と「テクス」、「強」の文字表示が制御基板７の前端よりも前方へはみ出す領域に配置されていることから、その分だけ当該表示部８０に配置するスイッチ部や文字表示類をその操作性及び視認性を損なうことなくより多く配置することができるようになる。残容量表示部８８は省略してもよい。
【００９６】
図１３には第６実施形態の表示部９０が例示されている。第６実施形態の表示部９０は、モード切り替えの操作性をより高めるため枠部の配置が第５実施形態の表示部８０とは異なっている。スイッチ部８１，８２の配置、発光部８３〜８７の配置、各文字表示の配置については第５実施形態と同様に構成されている。バッテリパック４０の残容量表示部８８についても同様に構成されている。変更を要しない部材及び構成については同位の符号を用いてその説明を省略する。
【００９７】
第６実施形態では、「モード」の文字表示がなされたスイッチ部８１と発光部８３が共通の枠部９１で囲まれている。また、「打撃」の文字表示がなされたスイッチ部８２と発光部８４が共通の枠部９２で囲まれている。右側の枠部９１と左側の枠部９２はそれぞれ２重線で表示され、相互に左右対称に配置されている。右側の枠部９１の左端部、左側の枠部９２の右端部からはそれぞれ横方向に延びる２重線の案内線９１ｃ，９２ｃが表示されている。両案内線９１ｃ，９２ｃは、「テクス」と「強」の文字表示がなされた上側の発光部８５の上部に至っている。
【００９８】
枠部９１の下部には、Ｌ字形で２重線の案内線９１ａが引き出されている。この案内線９１ａは、前記案内線８１ｃと同じく「カスタム長押し」の文字表示部の右側に至っている。枠部９１の左下部からは、同じくＬ字形で２重線の案内線９１ｂが引き出されている。この案内線９１ｂは、「アシスト」の文字表示と、「カスタム長押し」の文字表示との間に延びている。
【００９９】
左側の枠部９２の右下部からは２重線の案内線９２ｂが下方へ延びている。この案内線９２ｂはＬ字形に屈曲しており、その先端側は「カスタム長押し」と「弱」の文字表示がなされた下側の発光部８７の下方に至っている。枠部９２の下部には、短い２重線の案内線９２ａが引き出されている。この案内線９２ａは、下方に表示された「ライト長押し」の文字表示に向けられている。第６実施形態では、「ライト長押し」の文字表示が、第５実施形態よりも後側（図１３では下側）に配置されている。
【０１００】
係る第６実施形態の表示部９０によっても、その前部であって、発光部８３，８４，８５及び「テクス」と「強」の文字表示が、制御基板７の前端から前方へはみ出した領域に配置されている。これにより、その分だけ当該表示部９０に配置するスイッチ部や文字表示類をその操作性及び視認性を損なうことなくより多く配置することができるようになる。第５実施形態と同じく、残容量表示部８８は省略してもよい。
【０１０１】
図１８には、第７実施形態の表示部１００を備えた電動工具１が示されている。電動工具１は、前記各実施形態と同様、インパクトドライバが示されている。工具本体部１０に、電動モータ２０と遊星歯車機構３０と回転打撃機構３２が内装されている。工具本体部１０の前端部から出力軸３６が突き出されている。出力軸３６の突き出し部分には工具保持部３５が設けられている。その他、変更を要しない構成については同位の符号を用いてその説明を省略する。
【０１０２】
工具本体部１０の下面からグリップ部１０１が下方へ延びる状態に設けられている。前記各実施形態と同じく、表示部１００は、このグリップ部１０１の下部に設けた電源部１０２の前側上面に配置されている。電源部１０２は、グリップ部１０１の下部から主として前側へ張り出す平板形を有している。第７実施形態における電源部１０２は、前記第１〜第６実施形態における電源部１７よりも、前方への張り出し寸法及び左右幅寸法についてやや小型化されている。
【０１０３】
小型化された電源部１０２の下面には、同様にスライド取り付け形式のバッテリパック１０３が取り付けられる。電源部１０２に取り付けられるバッテリパック１０３には、前記バッテリパック４０よりも外形寸法が小型で、出力電圧が１０．８Ｖのリチウムイオンバッテリが用いられる。図１８では見えていないが、この１０．８Ｖスライド取り付け形式のバッテリパック１０３の後面には、自身の残容量を表示するための残容量表示部１０３ａが設けられている。バッテリパック１０３は、その前面に設けたロック解除ボタン１０３ｂを押し下げ操作して前画へスライドさせることにより電源部１０２から取り外すことができる。逆に、バッテリパック１０３は後方へ向けてスライドさせることにより電源部１０２に取り付けることができる。
【０１０４】
表示部１００の詳細が図１９に示されている。第７実施形態の表示部１００は、表示機能がより簡素化されている。この表示部１００には、「打撃」の文字表示がなされた押しボタン形式の打撃力切替スイッチ１０５と、「楽らく」の文字表示がなされたモード表示部１０６と、打撃力表示部１０８を備えている。表示部１００の左側に打撃力切替スイッチ１０５が配置され、右側にモード表示部１０６が配置されている。表示部１００の中央であって、打撃力切替スイッチ１０５とモード表示部１０６との間に、打撃力表示部１０８が配置されている。打撃力切替スイッチ１０５とモード表示部１０６と打撃力表示部１０８は、左右方向に横一線に配置されている。
【０１０５】
打撃力表示部１０８は、２つの発光部１０８ａ，１０８ｂを備えている。２つの発光部１０８ａ，１０８ｂはそれぞれＬＥＤを光源としている。打撃力切替スイッチ１０５を押し操作すると、回転打撃機構３２の打撃力が「強」から「弱」に切り替わる。打撃力が「強」に設定された状態では、左右の発光部１０８ａ，１０８ｂの双方が点灯する。打撃力が「弱」に切り替わると、右側の発光部１０８ｂが消灯して左側の発光部１０８ａのみが点灯した状態となる。２つの発光部１０８ａ，１０８ｂは、ともに赤色に点灯する。左側の発光部１０８ａの前側に「弱」の文字表示がなされ、右側の発光部１０８ｂの前側に「強」の文字表示がなされている。「強」の文字表示がなされた右側の発光部１０８ｂは、「弱」の文字表示がなされた左側の発光部１０８ａよりも前側に長く延びている。両発光部１０８ａ，１０８ｂの前部は、同じ方向に傾斜する尖った形状に形成されている。
【０１０６】
左側の発光部１０８ａのみが点灯して打撃力が「弱」に設定された状態で、打撃力切替スイッチ１０５をもう一度押し操作すると、左側の発光部１０８ａも消灯するとともに、モード表示部１０６の発光部１０９が点灯する。発光部１０９が点灯すると動作モードが打撃モードから「楽らく」モードに切り替わる。「楽らく」モードは、工具本体部１０の動作状態について、あらかじめ設定した特定の動作モードである。前記したように工具本体部１０の動作状態が「楽らく」モードに切り替わると、図１７に示すように電動モータ２０がねじ締め初期は低速回転し、ねじ締め負荷が所定値を超えると（例えば、一定回数の打撃がカウントされると）高速回転に切り替わる。このように「楽らく」モードでは、ねじ締め負荷の増大に合わせて電動モータが自動的に高速回転に切り替わる制御がなされる。
【０１０７】
モード表示部１０６は、概ね矩形の枠部１０６ａの内側に「楽らく」の文字表示と１つの発光部１０９を配置した構成を備えている。モード表示部１０６の発光部１０９は、打撃力の強弱を報知する発光部１０８ａ，１０８ｂとは異なる色（例えば緑色）に点灯する。発光部１０８ａ，１０８ｂには、赤色に発光するＬＥＤが光源として用いられ、発光部１０９には緑色に発光するＬＥＤが光源として用いられている。以上のように、打撃力切替スイッチ１０５を押し操作するたびに、動作モードが「強」→「弱」→「楽らく」の順に切り替わる。
【０１０８】
打撃力切替スイッチ１０５の「打撃」の文字表示は、円形の枠部１０５ａで囲まれている。枠部１０５ａの下部からは、案内線１０５ｂが引き出されている。この案内線１０５ｂは、打撃力表示部１０８の下側まで延びている。案内線１０５ｂの先には、「ライト長押し」の文字表示がなされている。打撃力切替スイッチ１０５を例えば２秒程度長押しすると、照明具５が点灯して暗所等でのねじ締め作業の便宜が図られる。点灯状態で打撃力切替スイッチ１０５をもう一度長押しすると照明具５が消灯する。打撃力切替スイッチ１０５は、打撃力切り替えスイッチとしての機能に加えて、照明具５の点灯スイッチとしての機能を併せ持っている。
【０１０９】
第７実施形態に係る表示部１００によれば、回転打撃機構３２の打撃力を切り替える打撃力切替スイッチ１０５と、打撃力を表示する打撃力表示部１０８と、回転打撃機構３２の動作状態について予め設定した動作モード（「楽らく」モード）であることを表示するモード表示部１０６が左右横一列（横並び状態）に配置されている。これにより、当該表示部１００が前後方向にコンパクトに構成されて、前記第１〜第６実施形態よりも前後方向の配置スペースが狭小である電源部１０２に表示部１００を配置することができる。
【０１１０】
また、打撃力表示部１０８の発光部１０８ａ，１０８ｂの発光色（赤色）と、モード表示部１０６の発光部１０９の発光色（緑色）が異なることにより、当該表示部１００の視認による識別性を高めることができるとともに、コンパクトな表示部１００においてより多くの情報を報知することができるようになる。上記例示した発光部１０８ａ，１０８ｂ，１０９では単色のＬＥＤを光源とする構成を例示したが、１つのＬＥＤにより報知内容ごとに発光色を変化させることにより一層コンパクト化を図ることができる。発光部の発光色を異ならせるためには、光源の発光色を異ならせる他、同色の光源に異なる色のフィルムを貼り付けて発光色を異ならせる構成としてもよい。
【０１１１】
以上例示した種々形態の表示部を備える電動工具１として回転打撃工具（インパクトドライバ）を例示したが、孔明け工具や切断工具等のその他の電動工具について例示した表示部１９（５０，６０，７０，１００）を適用することができる。
【０１１２】
また、バッテリパック４０を電源とする充電式の電動工具を例示したが、例えば商用１００Ｖを電源とする交流電源式の電動工具についても同様に適用することができる。
【符号の説明】
【０１１３】
１…電動工具（インパクトドライバ）
２…ねじ（半割りケース結合用）
３…ハンドストラップ
５…照明具（ＬＥＤ）、５ａ…透明カバー
６…切り替えスイッチ
７…制御基板、７ａ…コンデンサ
８…ケース
９…コントローラ
Ｓ１，Ｓ２，Ｓ３…スイッチ部
ｄ１，ｄ２，ｄ３…ボタンスイッチ
ｅ１〜ｅ９…ＬＥＤ（発光ダイオード）
Ｌ１〜Ｌ９…発光部
１０…工具本体部
１１…本体ケース
１２…後部ケース
１２ａ…軸受保持部
１５…グリップ部
１６…トリガ
１７…電源部
１８…メインスイッチ
１９…表示部（第１実施形態）、１９ａ…導光部
２０…電動モータ
２１…固定子
２２…回転子
２３…センサ基板、２３ａ…止めねじ、２３ｂ…内周孔
２４…モータ軸
２５…軸受（前側）
２６…軸受（後ろ側）
２７…中間区画壁
２８…冷却ファン
３０…遊星歯車機構
３１…駆動軸
３２…回転打撃機構
３２ａ…ハンマー、３２ｂ…圧縮ばね、３２ｃ…鋼球
３３…アンビル
３４…軸受
３５…工具保持部
３６…出力軸
４０…バッテリパック
５０…表示部（第２実施形態）
５０ａ…導光部、５０ｂ，５０ｃ…枠
６０…表示部（第３実施形態）
６０ａ…枠
７０…表示部（第４実施形態）
７０ａ…枠
８０…表示部（第５実施形態）
９０…表示部（第６実施形態）
１００…表示部（第７実施形態）
１０１…グリップ部
１０２…電源部
１０３…バッテリパック（１０．８Ｖ）
１０５…打撃力切替スイッチ、１０５ａ…枠部、１０５ｂ…案内線
１０６…モード表示部、１０６ａ…枠部
１０８…打撃力表示部
１０８ａ…発光部、１０８ｂ…発光部
１０９…発光部
【図１】
0006768751.tif 000002
【図２】
0006768751.tif 000003
【図３】
0006768751.tif 000004
【図４】
0006768751.tif 000005
【図５】
0006768751.tif 000006
【図６】
0006768751.tif 000007
【図７】
0006768751.tif 000008
【図８】
0006768751.tif 000009
【図９】
0006768751.tif 000010
【図１０】
0006768751.tif 000011
【図１１】
0006768751.tif 000012
【図１２】
0006768751.tif 000013
【図１３】
0006768751.tif 000014
【図１４】
0006768751.tif 000015
【図１５】
0006768751.tif 000016
【図１６】
0006768751.tif 000017
【図１７】
0006768751.tif 000018
【図１８】
0006768751.tif 000019
【図１９】
0006768751.tif 000020